(57)【要約】【課題】壁等の取付体の取付面に対する取付作業を容易に行うことができるとともに、取付状態を安定して保持することができる係止具を提供する。【解決手段】ガスバリア性及び可撓性を有する合成樹脂シート１１の裏面に粘着剤皮膜１２を接着する。合成樹脂シート１１の表面に係止ピン１３を溶融接合部１４によって接合する。前記合成樹脂シート１１の粘着剤皮膜１２を内側壁４１の表面４１ａに接着する。前記合成樹脂シート１１の表面から該シート１１を透過してシート１１と粘着剤皮膜１２の接合界面に水が侵入することはないので、表面４１ａに対する合成樹脂シート１１の接合強度を維持できるとともに、粘着剤皮膜１２の劣化を防止でき、係止具Ｋの取付状態を安定して保持することができる。このため、防水手段を施す作業を不要にして、係止具Ｋの取付作業を容易に行うことができる。【選択図】図２
2007225036.tif 000002
【特許請求の範囲】
【請求項１】
ガスバリア性及び可撓性を有するシートの表面に対し、他部材を係止するための係止ピンを連結し、該係止ピンの外周面に対しクリップを係止するための係止溝を形成し、前記シートの裏面に対し粘着剤皮膜又は接着剤皮膜を設けたことを特徴とする係止具。
【請求項２】
請求項１において、前記係止ピンは、前記シートの外周縁よりも内側に連結されていることを特徴とする係止具。
【請求項３】
請求項１又は２において、前記シートの材料は合成樹脂であって、ポリエチレンテレフタレート、ポリエチレンナフタレート、アクリル樹脂、ＡＢＳ樹脂、ポリプロピレン、ポリ塩化ビニル、ポリウレタン及びスチロール樹脂の中から１種類選択されたものであることを特徴とする係止具。
【請求項４】
請求項３において、前記係止ピンの材料は、前記シートの選択された１種類の合成樹脂材料と同じ材料であることを特徴とする係止具。
【請求項５】
請求項１〜４のいずれか１項において、前記粘着剤皮膜の材料は、水性エマルション型粘着剤、アクリル系粘着剤及び熱硬化型ゴム系粘着剤の中から１種類選択されたものであることを特徴とする係止具。
【請求項６】
請求項１〜５のいずれか１項において、前記シートの表面に前記係止ピンが溶融接合部によって連結されていることを特徴とする係止具。
【請求項７】
請求項１〜６のいずれか１項に記載の係止具の前記シートを取付体の取付面に接着した後、該シートの表面を接着補助具により押圧して前記取付面と粘着剤皮膜又は接着剤皮膜の接合界面に残留する気泡を除去することを特徴とする係止具の取付方法。
【発明の詳細な説明】
【技術分野】
【０００１】
本発明は、例えば、浴室やトイレあるいはキッチン等の壁に例えばシャワーノズル、脱臭剤を収容した消臭容器、調理用具等の他部材を係止するための係止具及びその取付方法に関するものである。
【背景技術】
【０００２】
一般に、セラミックス製の側壁の表面に、例えばキッチンタオル、バスタオルあるいは消臭容器等の他部材を装着する場合には、係止具が用いられる。この係止具は、図９に示すように、ある程度の剛性を有する樹脂製基板５１の裏面に両面テープ５２を接着し、この両面テープ５２により樹脂製基板５１を前記側壁の表面に接着するとともに、樹脂製基板５１の表面に一体に設けられたフック部５３に前記他部材を装着するようになっている。
【０００３】
又、従来、粘着剤皮膜を形成した合成樹脂シートを、セラミックス製の側壁の表面に接着した後、該シートの表面に例えば別部材の吸盤を吸着させ、該吸盤に他部材を装着するようにした係止構造も提案されている。
【発明の開示】
【発明が解決しようとする課題】
【０００４】
ところが、前者の従来の係止具は、例えば、トイレの小便器の内側壁や浴室の内側壁等のように水分が両面テープ５２に浸入する使用場所においては、ガスバリア性及び耐水性が低い両面テープ５２に水分が浸入しないように、両面テープ５２の外周縁全体を覆うための防水手段を施す必要があるので、内側壁に対する係止具の取付作業が非常に面倒であるという問題があった。
【０００５】
又、前者の係止具は、樹脂製基板５１の裏面全体に両面テープ５２が装着されているので、フック部５３に作用する他部材の荷重により樹脂製基板５１の上端縁が内側壁から離れようとする力を受けるので、樹脂製基板５１の取付状態を長期に亘って安定して保持することができないという問題があった。
【０００６】
一方、後者の他部材の係止構造は、合成樹脂シートを粘着剤皮膜により壁面に接着した後に、該シートの表面に吸盤を取り付ける作業が必要となるので、現場での施工作業が面倒であるばかりでなく、合成樹脂シートの表面から吸盤が離れ易く、他部材を安定して取り付けておくことができないという問題があった。
【０００７】
本発明の目的は、取付体の取付面に対する取付作業を容易に行うことができるとともに、他部材を確実に係止することができる係止具を提供することにある。
【課題を解決するための手段】
【０００８】
上記問題点を解決するために、請求項１に記載の発明は、ガスバリア性及び可撓性を有するシートの表面に対し、他部材を係止するための係止ピンを連結し、該係止ピンの外周面に対しクリップを係止するための係止溝を形成し、前記シートの裏面に対し粘着剤皮膜又は接着剤皮膜を設けたことを要旨とする。
【０００９】
請求項２に記載の発明は、請求項１において、前記係止ピンは、前記シートの外周縁よりも内側に連結されていることを要旨とする。
請求項３に記載の発明は、請求項１又は２において、前記シートの材料は合成樹脂であって、ポリエチレンテレフタレート、ポリエチレンナフタレート、アクリル樹脂、ＡＢＳ樹脂、ポリプロピレン、ポリ塩化ビニル、ポリウレタン及びスチロール樹脂の中から１種類選択されたものであることを要旨とする。
【００１０】
請求項４に記載の発明は、請求項３において、前記係止ピンの材料は、前記シートの選択された１種類の合成樹脂材料と同じ材料であることを要旨とする。
請求項５に記載の発明は、請求項１〜４のいずれか１項において、前記粘着剤皮膜の材料は、水性エマルション型粘着剤、アクリル系粘着剤及び熱硬化型ゴム系粘着剤の中から１種類選択されたものであることを要旨とする。
【００１１】
請求項６に記載の発明は、請求項１〜５のいずれか１項において、前記シートの表面に前記係止ピンが溶融接合部によって連結されていることを要旨とする。
請求項７に記載の発明は、請求項１〜６のいずれか１項に記載の係止具の前記シートを取付体の取付面に接着した後、該シートの表面を接着補助具により押圧して前記取付面と粘着剤皮膜又は接着剤皮膜の接合界面に残留する気泡を除去することを特徴とすることを要旨とする。
【発明の効果】
【００１２】
本発明によれば、ガスバリア性及び可撓性を有するシートの裏面に粘着剤皮膜又は接着剤皮膜を設けたので、取付体の取付面にシートが粘着剤皮膜又は接着剤皮膜を介して接着された状態において、ガスや水分がシートを透過して該シートと粘着剤皮膜又は接着剤皮膜との接合界面に侵入することはない。従って、前記接合界面の接合強度を維持できるとともに、粘着剤皮膜又は接着剤皮膜の劣化を防止することができ、さらに、前記取付面と粘着剤皮膜又は接着剤皮膜の接合強度も維持でき、取付状態を安定して保持することができる。このため、別途防水手段を施さなくてもよく、取付作業を容易に行うことができる。
【００１３】
又、本発明によれば、前記係止ピンの外周面にクリップを係止する係止溝を形成したので、係止ピンを例えばシャワーノズル等の他部材に形成された取付孔に貫通させた状態で、前記係止溝にクリップを係止することにより係止具に他部材を確実に係止することができる。
【００１４】
請求項２に記載の発明によれば、可撓性を有するシートの外周縁よりも内側に前記係止ピンが連結されているので、該係止ピンに他部材による外力が作用した場合に、前記シートの上端縁が前記取付面から離隔する方向への外力を受けることがなく、このため、前記取付面に対するシートの取付状態を安定して保持することができる。
【００１５】
請求項７記載の係止具の取付方法の発明によれば、前記取付面と粘着剤皮膜又は接着剤皮膜の接合界面に残留する気泡が除去されるので、取付面に対するシートの接着強度を向上することができる。
【発明を実施するための最良の形態】
【００１６】
以下、本発明を具体化した係止具の一実施形態を図１〜図８に従って説明する。
図１に示すように、係止具Ｋを構成するガスバリア性及び可撓性を有するポリエチレンテレフタレート（ポリエステル）製の四角形状をなす合成樹脂シート１１の裏面には、耐水性を有する粘着剤皮膜１２が粘着されている。前記合成樹脂シート１１の表面には、同じくポリエチレンテレフタレート（ポリエステル）製の係止ピン１３が溶融接合部１４によって接合されている。この係止ピン１３は、円板状のベース部１３ａと、該ベース部１３ａの中心部に一体形成されたピン部１３ｂと、該ピン部１３ｂの外周面に形成され、かつ弾性材よりなるクリップとしてのＣ形クリップ１５を着脱可能に係止するための係止溝１３ｃとにより形成されている。前記Ｃ形クリップ１５は前記係止溝１３ｃに対し前記ピン部１３ｂの径方向から係合される開口１５ａを有するリング部１５ｂと、該リング部１５ｂの両端部に前記開口１５ａと対応して形成されたテーパ状の案内部１５ｃとにより形成されている。図１に示すようにピン部１３ｂの先端部には先端ほど小径となるテーパ状部１３ｄが形成されている。前記係止溝１３ｃ及びピン部１３ｂの先端寄り上部にはドライバー等の工具の先端を挿入して、係止溝１３ｃに係止されたＣ形クリップ１５をテコの原理により取り外すための挿入溝１３ｅが形成されている。前記係止溝１３ｃに前記係止ピン１３は複数（この実施形態では３）箇所に設けられ、上側に位置する二つの係止ピン１３のベース部１３ａは、図３に示すように合成樹脂シート１１の上端縁１１ａ及び側端縁１１ｂよりも距離Ｌ１，Ｌ２（例えば１５ｍｍ，８ｍｍ）だけ内側に位置するように接合されている。下側に位置する一つの係止ピン１３のベース部１３ａは合成樹脂シート１１の下端縁１１ｃに接するように取り付けられている。
【００１７】
前記溶融接合部１４は、例えば塩化メチレン等の溶剤を用いて合成樹脂シート１１の表面とベース部１３ａの裏面の接合界面を相互に溶かして接合して形成されている。又、前記溶剤に代えて、非晶質のポリエチレンテレフタレート系樹脂用の接着剤を用いてもよい、この接着剤として、溶剤ケトンにアルコールを５〜２５％含有したものを用いてもよい。ケトンとしてはメチルエチルケトンを、アルコールとしては、メタノール又はエタノールが選ばれる。上記接着剤として、前記ケトン７５〜９５重量％と、前記メチルアルコール若しくはエチルアルコール５〜２５重量％とを含有したものを用いるようにしている。
【００１８】
前記粘着剤皮膜１２の表面には、図１及び図４に示すように剥離剤皮膜１６を形成した紙製のカバー用シート１７が接着され、粘着剤皮膜１２の表面からカバー用シート１７を剥離剤皮膜１６とともに容易に剥離できるようになっている。
【００１９】
前記合成樹脂シート１１を形成する合成樹脂材料は、ポリエチレンテレフタレート以外に、ポリエチレンナフタレート、アクリル樹脂、ＡＢＳ（アクリロニトリル／ブタジエン／スチレン）樹脂、ポリプロピレン、ポリ塩化ビニル、ポリウレタン及びスチロール樹脂の中から１種類選択されている。前記係止ピン１３は、前記合成樹脂シート１１の複数の合成樹脂材料の中から選択された１種類の材料と同じ材料（この実施形態ではポリエチレンテレフタレート）によって形成されている。
【００２０】
この実施形態では、前記粘着剤皮膜１２の粘着剤として、例えば水性エマルション型粘着剤、アクリル系粘着剤及び熱硬化型ゴム系粘着剤の中から一種類が選択されるようになっている。具体例としては、東洋インキ製造株式会社製の感圧性接着剤［商品名「オリバイン」、品番「ＹＫ−３０１２２、ＢＰＳ６０８０、４５９５、５３２０、５５１３、５３７３、５０１２、５５６５」]のうちいずれか一種類が用いられる。
【００２１】
前記合成樹脂シート１１の厚さ寸法は、例えば０．１ｍｍ〜２．０ｍｍの範囲に設定され、望ましくは０．５〜１．０ｍｍである。又、粘着剤皮膜１２の膜厚寸法は、例えば１μｍ〜５００μｍの範囲に設定され、望ましくは１０μｍ〜１００μｍである。
【００２２】
図６は上記のように構成した係止具Ｋを用いて、例えばバスルームの取付体としての内側壁４１の取付面としての表面４１ａに取り付けられるシャワーノズルのホルダー２１を示す。このホルダー２１を構成する合成樹脂製の基板２２には前記係止具Ｋの三つの係止ピン１３と対応して、各係止ピン１３を貫通させるための取付孔２３が三箇所に形成されている。基板２２の表面の左右両側部には、一対の支持アーム２４，２５が一体に形成され、両アーム２４，２５の上面には、半円弧状のノズルのクランプ用凹部２４ａ，２５ａが上方に開口するように形成されている。前記支持アーム２４，２５の基端部には上下方向に貫通する貫通孔２６が形成されている。前記両貫通孔２６には前記支持アーム２４，２５に支持されたシャワーノズル（図示略）を上方からクランプするための半円弧状のクランプ用凹部２７ａを有するクランプ部材２７が取り外し可能に取り付けられるようになっている。前記クランプ部材２７の基端部下面には、前記貫通孔２６に上方から挿入される軸部２７ｂが一体に形成されるとともに、該軸部２７ｂの下端面にはスリット２７ｃが上方向に指向するように形成され、弾性変形可能な係止板部２７ｄが形成されている。前記係止板部２７ｄの下端外側面には側面半円形状の係止突起２７ｅが一体に形成されている。
【００２３】
図６に示すように前記貫通孔２６は四角筒状に形成され、軸部２７ｂは四角柱状に形成されている。貫通孔２６への軸部２７ｂの挿入開始時には前記係止突起２７ｅが貫通孔２６の上端縁によりスリット２７ｃ側へ押されて係止板部２７ｄが弾性変形される。そして、図８に示すように軸部２７ｂが貫通孔２６内に完全に挿入された状態で、前記係止板部２７ｄの弾性復元力により前記係止突起２７ｅが前記貫通孔２６の下端部に形成された係止段部２６ａに係止されるようになっている。
【００２４】
図６に示すように、前記クランプ部材２７の先端部には、前記支持アーム２４，２５の先端部に形成した係止凹部２４ｂ，２５ｂに係止される係止突起２７ｆが一体に形成されている。
【００２５】
次に、前記係止具Ｋを用いて、ホルダー２１をバスルームのステンレス製の内側壁４１の表面４１ａに取り付けるための取付作業について説明する。
最初に、図２に示す前記内側壁４１の表面４１ａを歯磨き粉等を用いて清掃して乾燥させる。次に、図１に示す係止具Ｋの粘着剤皮膜１２の表面から、剥離剤皮膜１６を備えたカバー用シート１７を剥離する。そして、図２に示すように、合成樹脂シート１１の裏面に接着された粘着剤皮膜１２を前記表面４１ａに接着する。このとき、合成樹脂シート１１の表面に接着補助具４２を押し当てた状態で、この接着補助具４２を合成樹脂シート１１の表面に押圧した状態で、シート１１の中心部から外周縁に向かって図２の矢印で示すように移動し、内側壁４１の表面４１ａと粘着剤皮膜１２との接合界面に残留する気泡を扱くようにして押し出し、粘着剤皮膜１２により合成樹脂シート１１を表面４１ａに接着する。その後、前記ホルダー２１の基板２２の取付孔２３に前記係止ピン１３を貫通するようにして係止具Ｋの係止ピン１３にホルダー２１の基板２２を装着する。次に、各係止ピン１３の係止溝１３ｃに対しＣ形クリップ１５を弾性変形させて拡径してそれぞれ係止して、基板２２の取付孔２３の内周縁をベース部１３ａとＣ形クリップ１５との間に保持する。その後、支持アーム２４，２５のクランプ用凹部２４ａ，２５ａにシャワーノズル（図示略）を支持し、前記貫通孔２６にクランプ部材２７の軸部２７ｂを進入させる。このとき、係止突起２７ｅが貫通孔２６の上端縁に当接されて、係止板部２７ｄが弾性変形され、係止突起２７ｅが貫通孔２６から下方に移動されると、係止板部２７ｄの弾性復元力により係止突起２７ｅが前記係止段部２６ａに係止される。このようにして、クランプ用凹部２４ａ，２５ａに支持されたシャワーノズルが左右一対のクランプ部材２７のクランプ用凹部２７ａによってクランプされる。
【００２６】
なお、前記クランプ部材２７を取り外す場合には、図８において、クランプ部材２７に上方への外力を付与すれば、係止突起２７ｅにより係止板部２７ｄがスリット２７ｃ側に弾性変形されてクランプ部材２７が上方に移動され、貫通孔２６からクランプ部材２７が取り外される。又、Ｃ形クリップ１５は図５において、前記係止ピン１３の挿入溝１３ｅにドライバーの先端を挿入してＣ形クリップ１５を上方に移動することにより取り外すことができるが、指で案内部１５ｃ側を上方に押すことにより取り外すこともできる。
【００２７】
上記実施形態の係止具によれば、以下のような効果を得ることができる。
（１）上記実施形態では、ガスバリア性及び可撓性を有する合成樹脂シート１１の裏面に粘着剤皮膜１２を接着し、この粘着剤皮膜１２により合成樹脂シート１１を内側壁４１の表面４１ａに接着するようにした。このため、ガスや水分が合成樹脂シート１１を透過して該シート１１と粘着剤皮膜１２との接合界面に侵入することはない。従って、前記粘着剤皮膜１２と表面４１ａの接合界面の接合強度を維持できるとともに、粘着剤皮膜１２の劣化を防止することができ、さらに、前記表面４１ａと粘着剤皮膜１２の接合強度も維持でき、合成樹脂シート１１の取付状態を安定して保持することができる。従って、別途防水手段を施さなくてもよく、内側壁４１の表面４１ａに対する合成樹脂シート１１の取付作業を容易に行うことができる。
【００２８】
（２）上記実施形態では、合成樹脂シート１１の表面に係止ピン１３のベース部１３ａを溶融接合部１４によって予め連結したので、内側壁４１の表面４１ａにシートを取り付けた後、このシートに吸盤を取り付ける従来の係止構造と比較して、表面４１ａへの係止ピン１３の取付作業を容易に行うことができる。
【００２９】
（３）上記実施形態では、可撓性を有する合成樹脂シート１１を用いたので、前記
接着補助具４２を用いて内側壁４１の表面４１ａと粘着剤皮膜１２の接合界面に残留した気泡を効率よく除去して、接着強度を向上することができる。又、内側壁４１の表面４１ａが曲面であっても、その曲面にならうようにして、合成樹脂シート１１を取り付けることができ、取付作業を容易に行うことができる。
【００３０】
（４）上記実施形態では、合成樹脂シート１１の外周縁よりも内側の部分に係止ピン１３を接合したので、内側壁４１に対するホルダー２１の装着状態において、ホルダー２１による荷重が係止ピン１３に作用した場合に、図２においてベース部１３ａと対応する合成樹脂シート１１が内側壁４１の表面４１ａから離隔する方向に外力を受ける。しかし、前記係止ピン１３のベース部１３ａと対応しない合成樹脂シート１１の外周縁は、表面４１ａから離隔する方向への外力を受けることがないので、表面４１ａから合成樹脂シート１１が剥離するのを防止することができる。このため内側壁４１の表面４１ａに対する合成樹脂シート１１及び係止ピン１３の取付状態を安定して保持することができる。
【００３１】
（５）上記実施形態では、粘着剤皮膜１２を合成樹脂シート１１の裏面に形成したので、除去作業が必要となった場合に、合成樹脂シート１１の表面をドライヤーで加熱し、前記粘着剤皮膜１２を熱により軟化させて、合成樹脂シート１１を粘着剤皮膜１２とともに容易に剥離することができる。従って、内側壁４１の表面４１ａに粘着剤皮膜１２が付着しないので、内側壁４１の表面４１ａの清掃作業を容易に行うことができる。
【００３２】
なお、上記実施形態は以下のように変更してもよい。
・  合成樹脂シート１１に代えて、例えばアルミニウムシート、ステンレススチールシート等のガスバリア性のある金属シートを用いたり、ブチルゴムシート、エチレン・プロピレン系共重合ゴム（ＥＰゴム）シート等のガスバリア性のあるゴムシートを用いたりしてもよい。
【００３３】
・  前記合成樹脂シート１１及び粘着剤皮膜１２として、例えば寺岡製作所（株）製のフィルムベースタイプのアクリル系の粘着剤を用いた両面テープの一覧表に示された「テープＮｏ７０５＃１２、７０７＃４、７０７Ｎ＃４、７６４＃２５・・・」を用いてもよい。
【００３４】
・  前記粘着剤皮膜１２に代えて、例えば住友スリーエム（株）製の主成分がニトリルフェノールの製品名「ＡＦ３０」、主成分がナイロンエポキシの「ＡＦ４２」、主成分が変性エポキシの「ＡＦ１２６−２、ＡＦ１６３−２、ＡＦ１９１」のフィルム状接着剤を用いてもよい。この場合には合成樹脂シート１１をドライヤーにより加熱して接着剤を取付体の表面に接着する。
【００３５】
・  Ｃ形クリップ１５の形状を例えばコ字状あるいはその他の任意の形状に変更してもよい。
・  前記合成樹脂シート１１に対し係止ピン１３を加熱融着したり、瞬間接着剤により接着したりしてもよい。
【００３６】
・  係止ピン１３を一箇所、二箇所又は四箇所以上に設けてもよい。
・  シャワーノズル用の前記ホルダー２１に代えて、例えば、脱臭剤を収容した消臭容器、調理用具等の各種の他部材を係止するためのホルダを装着するようにしてもよい。
【図面の簡単な説明】
【００３７】
【図１】この発明の係止具を示す斜視図。
【図２】係止具の取付状態を示す斜視図。
【図３】係止具の正面図。
【図４】係止具の断面図。
【図５】係止具にホルダーを取り付けた状態を示す断面図。
【図６】ホルダーの分解斜視図。
【図７】ホルダーの組み付け状態の斜視図。
【図８】ホルダーの支持アームを通る断面図。
【図９】従来の係止具を示す斜視図。
【符号の説明】
【００３８】
Ｋ…係止具、１１…シート、１２…粘着剤皮膜、１３…係止ピン、１３ｃ…係止溝、１４…溶融接合部、１５…クリップとしてのＣ形クリップ、４１…取付体としての内側壁、４１ａ…表面、４２…接着補助具。
【図１】
2007225036.tif 000003
【図２】
2007225036.tif 000004
【図３】
2007225036.tif 000005
【図４】
2007225036.tif 000006
【図５】
2007225036.tif 000007
【図６】
2007225036.tif 000008
【図７】
2007225036.tif 000009
【図８】
2007225036.tif 000010
【図９】
2007225036.tif 000011